(57)【要約】【課題】ヘッドホンで、複数の入力音を聞きながら任意の入力音を集中して聴くことができるヘッドホンモニタ装置を提供する。【解決手段】ヘッドホンモニタ装置１は、複数の音信号をミキシングしてヘッドホン３でモニタする場合に、選択したチャンネルの音信号には頭外定位処理を行わずに、遅延回路１９で遅延処理を行って出力し、選択された音信号以外の音信号には畳み込みフィルタ１７で頭外定位処理を行う。これにより、選択した音信号のみを頭内に定位させ、その他の音信号を頭外に定位させることができ、自分の楽器の演奏音を集中してモニタでき、かつバック演奏音源を自然な聴き疲れしない音としてモニタできるようになる。また、選択するチャンネルを変更することで、頭内定位させるチャンネルの音を変更できる。【選択図】図２
2009188450.tif 000002
【特許請求の範囲】
【請求項１】
音信号入力用の複数の入力インタフェース手段と、
前記複数の入力インタフェース手段のうち、任意の入力インタフェース手段を選択する操作手段と、
前記選択した入力インタフェース手段以外の入力インタフェース手段から入力された音信号に対して、聴取者の周囲に設定された各仮想定位位置から聴取者の耳へ到来する音の周波数特性を頭部伝達関数に基づいて付与する仮想定位付与手段と、
前記選択した入力インタフェース手段から入力され、前記仮想定位付与手段が周波数特性を付与していない音信号と、前記選択した入力インタフェース手段以外の入力インタフェース手段から入力され、前記仮想定位付与手段が周波数特性を付与した音信号とを、入力タイミングを調整した後に加算して加算音信号を出力する加算手段と、
前記加算音信号出力用の出力インタフェース手段と、
を備えたことを特徴とするヘッドホンモニタ装置。
【請求項２】
前記操作手段は、前記選択した入力インタフェース手段以外の各入力インタフェース手段から入力される音信号の仮想定位位置を設定する手段であり、
前記仮想定位付与手段は、前記選択した入力インタフェース手段以外の各入力インタフェース手段から入力された音信号に対して、前記操作手段が設定した仮想定位位置から聴取者の耳へ到来する音の周波数特性を付与する手段である請求項１に記載のヘッドホンモニタ装置。
【発明の詳細な説明】
【技術分野】
【０００１】
この発明は、ヘッドホンで、複数の入力音を聞きながら任意の入力音を集中して聴くことができるヘッドホンモニタ装置に関する。
【背景技術】
【０００２】
従来、楽器の練習時やレコーディング時には、演奏者はヘッドホンモニタ装置でミックスされた演奏音をヘッドホンでモニタする。図１は、（Ａ）が従来のヘッドホンモニタ装置のブロック図であり、（Ｂ）が従来のヘッドホンモニタ装置に頭外定位技術を適用した場合のブロック図である。図１（Ａ）に示すヘッドホンモニタ装置１０１は、入力端子１１１−１Ｌ・１１１−１Ｒ（ｃｈ１），１１１−２Ｌ・１１１−２Ｒ（ｃｈ２）から演奏者の楽器の演奏音信号と、録音再生装置から出力されたバック演奏音（バック音源）信号が入力されると、これらの信号をＡ／Ｄコンバータ１１３−１，１１３−２でＡ／Ｄ変換し、バランス利得制御部１２３−１，１２３−２で信号バランスを調整し、加算器（ミキサ）１２５Ｌ，１２５Ｒで２チャンネルステレオにミックスする。そして、ミックスした信号をＤ／Ａコンバータ１２７でＤ／Ａ変換した後に、出力端子１２９Ｌ・１２９Ｒを介してヘッドホン１０３に出力する。なお、図には、入力音信号が共にアナログ音信号の場合を示している。
【０００３】
ヘッドホンで音を聴く場合には、スピーカ出力を聴く場合と異なり、音像が頭の中にこもるような聴感になることはよく知られている。これは一般に”頭内定位”と呼ばれており、正しい音像定位を損ない、また長時間のヘッドホン聴取時の聴き疲れの原因にもなっている。図１（Ａ）に示したような従来のヘッドホンモニタ装置は、複数の音信号をステレオミックスするだけなので、全ての音の音像が頭内定位するため、長時間の使用では聴き疲れし易いという問題があった。
【０００４】
一方、上記問題を解消するために、ヘッドホンでもスピーカで聴いているような頭の外から自然に立体的に音が聞こえる（音像が頭外に定位する）装置が開発されている。これらの装置では、スピーカ再生時のスピーカから耳までの伝達関数を測定し、それを畳み込むことによって実現している。この伝達関数は、頭部の形で決定される特性を関数で表したものであり、頭部伝達関数（ＨＲＴＦ：Head Related Transfer Function）と一般に呼ばれる。音像を頭外定位させる装置としては、例えば、コンテンツを聴く場合の頭内定位の違和感を解消するためのものや、電子楽器のヘッドホンモニタ時のステレオ感を改善するものなどが提案されている（特許文献１、２参照。）。
【特許文献１】特許第３５１４６３９号公報
【特許文献２】特許第３５９４２８１号公報
【発明の開示】
【発明が解決しようとする課題】
【０００５】
しかしながら、従来のヘッドホンでの音像頭外定位技術は、ヘッドホンで聴く音全ての音像を頭外定位させることを前提としたものであった。そのため、図１（Ｂ）に示すように、この頭外定位処理を仮に現状のヘッドホンモニタ装置１０１に適用した場合、ヘッドホンモニタ装置１０１とヘッドホン１０３の間に頭外定位処理部１４１を設けることになり、演奏者の楽器の演奏音も含めて全ての音像が頭外に定位してしまう。この場合、聴き疲れ感は減少するが、演奏者の楽器の演奏音の音像も頭外に定位するため、演奏者は、自分の演奏を集中してモニタすることができない。
【０００６】
また、音楽プロデューサ等が、楽器の練習時やレコーディング時に、複数の演奏音の全体のバランスや各演奏音を個別にモニタしたい場合等にも、従来のヘッドホンモニタ装置を用いると全ての音の音像が頭内または頭外に定位するため、集中してモニタすることができない。
【０００７】
そこで、本発明は、ヘッドホンで、複数の入力音を聞きながら任意の入力音を集中して聴くことができるヘッドホンモニタ装置を提供することを目的とする。
【課題を解決するための手段】
【０００８】
この発明は、上記の課題を解決するための手段として、以下の構成を備えている。
【０００９】
（１）音信号入力用の複数の入力インタフェース手段と、前記複数の入力インタフェース手段のうち、任意の入力インタフェース手段を選択する操作手段と、前記選択した入力インタフェース手段以外の入力インタフェース手段から入力された音信号に対して、聴取者の周囲に設定された各仮想定位位置から聴取者の耳へ到来する音の周波数特性を頭部伝達関数に基づいて付与する仮想定位付与手段と、前記選択した入力インタフェース手段から入力され、前記仮想定位付与手段が周波数特性を付与していない音信号と、前記選択した入力インタフェース手段以外の入力インタフェース手段から入力され、前記仮想定位付与手段が周波数特性を付与した音信号とを、入力タイミングを調整した後に加算して加算音信号を出力する加算手段と、前記加算音信号出力用の出力インタフェース手段と、を備えたことを特徴とする。
【００１０】
民生オーディオ分野では、ヘッドホンによる自然な頭外定位実現のため、この技術の研究や応用が続けられている。発明が解決しようとする課題では頭内定位のデメリットについて述べたが、頭内定位はデメリットばかりかというと必ずしもそうではない。例えば、自分で楽器等を演奏し、その音をヘッドホンでモニタする場合には、演奏音の音像が頭内に定位すると、その演奏音を注意深く聴きながら演奏に集中することができる。このように、楽器を単独で演奏する場合には、１つの演奏音のみを聴取するので聴き疲れも発生しにくい。
【００１１】
一方、演奏者が、既にレコーディング済みの音源やカラオケ等にあわせて演奏する場合には、その音源と自分の演奏音をヘッドホンモニタ装置で２チャンネルにミックスした音をヘッドホンでモニタしながら演奏することになる。この場合には、自分の演奏音も含めて全ての音の音像が頭内に定位するため、長時間の演奏では聴き疲れし易くなる。
【００１２】
そこで、本発明のヘッドホンモニタ装置では、複数の音信号をミキシングしてヘッドホンでモニタする場合に、選択した音信号には頭外定位処理を行わずに出力し、選択した音信号以外の音信号には聴取者の周囲に設定された各仮想定位位置から聴取者の耳へ到来する音の周波数特性を頭部伝達関数に基づいて付与し、頭外定位処理を行うように構成する。これにより、選択した音信号の音像のみを頭内に定位させ、選択していないその他の音信号の音像を頭外に定位させることができる。例えば上記のように、演奏者が既にレコーディング済みの音源やカラオケ等にあわせて演奏する場合には、自分で演奏する楽器の演奏音のみ従来手法（＋遅延処理）とし、その演奏音を頭外定位処理を行ったバック演奏音源とミキシングする。その結果、自分の楽器の演奏音の音像は頭内定位し、それ以外の音源（バック演奏音源）の音像が頭外定位するので、自分の楽器の演奏音を集中してモニタでき（聴くことができ）、かつバック演奏音源を自然な聴き疲れしない音としてモニタできる（聞くことができる）ようになる。
【００１３】
また、ヘッドホンモニタ装置では、頭内に定位させる音信号を入力する入力インタフェース手段を任意に選択できるので、状況に応じて操作手段を操作して入力インタフェース手段の選択を変更することで、音像を頭内定位させる音信号を変更できる。これにより、複数の演奏音を同時に聞きつつ、各演奏音を個別に集中して聴くことができる。
【００１４】
さらに、数個の入力インタフェース手段を選択することで、数個の音信号の音像を頭内に定位させて、他の音信号の音像を頭外に定位させることができる。これにより、複数の演奏音を同時に聞きつつ、数個の音信号の演奏のズレやバランスを集中して確認できる。
【００１５】
（２）前記操作手段は、前記選択した入力インタフェース手段以外の各入力インタフェース手段から入力される音信号の仮想定位位置を設定する手段であり、
前記仮想定位付与手段は、前記選択した入力インタフェース手段以外の各入力インタフェース手段から入力された音信号に対して、前記操作手段が設定した仮想定位位置から聴取者の耳へ到来する音の周波数特性を付与する手段である。
【００１６】
この構成においては、操作手段が、選択した入力インタフェース手段以外の各入力インタフェース手段から入力される音信号の仮想定位位置の設定を受け付けると、仮想定位付与手段は、選択された入力インタフェース手段以外の各入力インタフェース手段から入力された音信号に対して、操作手段が受け付けた仮想定位位置から聴取者の耳へ到来する音の周波数特性を付与する。したがって、聴取者は、操作手段を操作して、頭外に定位させる音信号の音像を所望の位置に設定できるので、例えば各楽器の音像を実際にステージで演奏する際のオーケストラやバンドの配置にすることで、自分の演奏音に集中しつつ、全体の演奏音と自分の演奏音とのバランスも、生演奏と同じ状態で確認できる。
【発明の効果】
【００１７】
この発明によれば、選択した音信号の音像のみを頭内に定位させ、選択していないその他の音信号の音像を頭外に定位させることができる。また、音像を頭内定位させる音信号を変更できる。さらに、数個の音信号の音像を頭内に定位させて、他の音信号の音像を頭外に定位させることができる。
【発明を実施するための最良の形態】
【００１８】
以下、本発明のヘッドホンモニタ装置の詳細について説明する。図２は、本発明の実施形態に係るヘッドホンモニタ装置の概略構成を示すブロック図である。
【００１９】
図２に示すように、ヘッドホンモニタ装置１は、一例としてステレオｎチャンネル入力・ステレオ１チャンネル出力であり、入力端子１１−１Ｌ・１１−１Ｒ，１１−２Ｌ・１１−２Ｒ，…，１１−ｎＬ・１１−ｎＲ、Ａ／Ｄコンバータ１３−１，１３−２，…，１３−ｎ、スイッチ１５−１，１５−２，…，１５−ｎ、畳み込みフィルタ１７−１，１７−２，…，１７−ｎ、遅延回路１９−１，１９−２，…，１９−ｎ、バランス利得制御部２３−１，２３−２，…，２３−ｎ、加算器２５Ｌ，２５Ｒ、Ｄ／Ａコンバータ２７、出力端子２９Ｌ・２９Ｒ、記憶部３１、操作部３３、表示部３５、及び制御部３７を備えている。
【００２０】
入力端子１１−１Ｌ・１１−１Ｒ〜１１−ｎＬ・１１−ｎＲは、ヘッドホンモニタ装置１の入力インタフェースであり、ヘッドホンモニタ装置１に接続された外部接続機器、例えば不図示の楽器７、録音再生装置８、マイク９等が接続される。そして、これら外部接続機器が出力した音信号、すなわち楽器７の演奏音や、予め録音しておき録音再生装置８が再生した演奏音や、別の部屋等で演奏していたりする演奏音や、マイク９で収音された歌声や演奏音等の音信号が、入力端子１１−１Ｌ・１１−１Ｒ〜１１−ｎＬ・１１−ｎＲのいずれかを介してヘッドホンモニタ装置１に入力される。
【００２１】
なお、図２には、一例として、各入力系統ともステレオ２チャンネルの場合を示している。また、ヘッドホンモニタ装置１では、楽器７やマイク９の入力がモノラルの場合は２チャンネルに分岐しても良く、また、マルチチャンネルの場合は、装置本体のチャンネル数を拡張して対応しても良い。
【００２２】
また、図２において、入力端子１１−１Ｌ・１１−１Ｒをｃｈ１（チャンネル１）、入力端子１１−２Ｌ・１１−２Ｒをｃｈ２（チャンネル２）、…、入力端子１１−ｎＬ・１１−ｎＲをｃｈｎ（チャンネルｎ）とも称する。
【００２３】
Ａ／Ｄコンバータ１３−１〜１３−ｎは、入力端子１１を介して入力されたアナログ音信号をデジタル音信号に変換する。なお、入力音信号がデジタル音信号の場合には、Ａ／Ｄコンバータは不要である。
【００２４】
スイッチ１５−１〜１５−ｎは、Ａ／Ｄコンバータ１３−１〜１３−ｎを、畳み込みフィルタ１７−１〜１７−ｎ、または遅延回路１９−１〜１９−ｎに接続し、その接続を切り替えるためのものである。各スイッチ１５−１〜１５−ｎは、操作部３３におけるチャンネルの選択操作に応じて、制御部３７からの制御信号により接続が切り替えられる。例えば、操作部３３が操作されてｃｈ２が選択されると、制御部３７はこの操作を検出して各スイッチ１５−１〜１５−ｎを制御して（切り替えて）、Ａ／Ｄコンバータ１３−２を遅延回路１９−２に接続し、Ａ／Ｄコンバータ１３−１，１３−３〜１３−ｎをそれぞれ畳み込みフィルタ１７−１，１７−３〜１７−ｎに接続する。
【００２５】
なお、制御部３７を介さずに、各スイッチを演奏者が手動で直接切り替える構成にすることも可能である。
【００２６】
スイッチ１５−１は、初期状態では、遅延回路１９−１側に接続されている。また、スイッチ１５−２〜１５−ｎは、初期状態では、畳み込みフィルタ１７−２〜１７−ｎ側に接続されている。
【００２７】
畳み込みフィルタ１７−１〜１７−ｎは、頭外定位処理を行うフィルタである。図３は、畳み込みフィルタの構成を示すブロック図である。各畳み込みフィルタ１７−１〜１７−ｎは、畳み込み演算部４１ＬＬ，４１ＬＲ，４１ＲＬ，４１ＲＲ、左耳信号加算部４３Ｌ、及び右耳信号加算部４３Ｒを備えている。畳み込みフィルタ１７−１〜１７−ｎでは、記憶部３１に用意された頭部伝達関数係数と入力音信号を畳み込み演算し、聴取者の周囲に設定された各仮想定位位置から聴取者の耳へ到来する音の周波数特性を頭部伝達関数に基づいて付与することで、頭外定位を実現する。
【００２８】
畳み込み演算部４１ＬＬには、記憶部３１に用意された頭部伝達関数係数であるＬｃｈ左耳係数が設定される。また、畳み込み演算部４１ＬＲには、記憶部３１に用意された頭部伝達関数係数であるＬｃｈ右耳係数が設定される。また、畳み込み演算部４１ＲＬには、記憶部３１に用意された頭部伝達関数係数であるＲｃｈ左耳係数が設定される。また、畳み込み演算部４１ＲＲには、記憶部３１に用意された頭部伝達関数係数であるＲｃｈ右耳係数が設定される。
【００２９】
記憶部３１には、頭部伝達関数係数が右耳用と左耳用をそれぞれのチャンネル数分用意されており、畳み込み演算部４１ＬＬ，４１ＬＲ，４１ＲＬ，４１ＲＲで、それぞれ個別に入力音信号を畳み込んだ後、右耳・左耳の畳み込み結果を左耳信号加算部４３Ｌ及び右耳信号加算部４３Ｒで加算して出力する。すなわち、左耳信号加算部４３Ｌは、畳み込み演算部４１ＬＬと畳み込み演算部４１ＲＬの畳み込み演算結果を加算する。また、右耳信号加算部４３Ｒは、畳み込み演算部４１ＬＲと畳み込み演算部４１ＲＲの畳み込み演算結果を加算する。
【００３０】
なお、頭部伝達関数係数の時間長が比較的短い場合は、ＦＩＲフィルタによる時間領域の畳み込み演算を使用するが、係数時間長が長い場合には、処理負荷軽減のため周波数領域でのＦＦＴ畳み込み演算を使用することもある。
【００３１】
また、ヘッドホンモニタ装置１では、操作部３３の操作により、音像を定位させる位置を変更することが可能であり、この場合、制御部３７は操作部３３の操作により設定された音像の定位位置に応じて、畳み込みフィルタ１７−１〜１７−ｎの畳み込み演算部４１ＬＬ，４１ＬＲ，４１ＲＬ，４１ＲＲに設定する頭部伝達関数係数を変更する。
【００３２】
遅延回路１９−１〜１９−ｎは、畳み込みフィルタ１７−１〜１７−ｎで畳み込み演算されていない音信号を遅延させて、畳み込みフィルタ１７−１〜１７−ｎで畳み込み演算された音信号との加算器２５Ｌ，２５Ｒへの入力タイミングが一致するように調整する。
【００３３】
バランス利得制御部２３−１〜２３−ｎは、各音信号の利得を制御するためのものであり、演奏者の好みで、自分の演奏音とバックの演奏音の音量レベルバランスを調整することができる。それぞれの利得を独立に調整しても良いが、ひとつのパラメータでバランスを制御しても良い。例えば、ヘッドホンモニタ装置１のｃｈ１とｃｈ２を使用する場合、
ｍ＿ｇａｉｎ＿ｃｈ１＝１．０−ｍ＿ｇａｉｎ＿ｃｈ２
として、ひとつのパラメータでバランスを制御しても良い。この場合、
０≦ｍ＿ｇａｉｎ＿ｃｈ１≦１．０、０≦ｍ＿ｇａｉｎ＿ｃｈ２≦１．０
となる。
【００３４】
加算器２５Ｌ，２５Ｒは、バランス利得制御部２３−１〜２３−ｎが出力した各音信号をＬチャンネルとＲチャンネルでそれぞれ加算し、２チャンネルステレオ音信号にして、Ｄ／Ａコンバータ２７に出力する。
【００３５】
Ｄ／Ａコンバータ２７は、加算器２５Ｌ，２５Ｒが出力したデジタル音信号をヘッドホン出力のためアナログ音信号に変換する。なお、Ｄ／Ａコンバータ２７を設けずにデジタル音信号のまま出力して、外部に設けた別の装置でＤ／Ａ変換するように構成することも可能である。
【００３６】
出力端子２９Ｌ・２９Ｒは、ヘッドホン３や録音再生装置５等の外部接続機器を接続するための出力インタフェースであり、Ｄ／Ａコンバータ２７で変換されたアナログ音信号を外部接続機器に出力する。
【００３７】
記憶部３１は、複数の頭部伝達関数係数を記憶する。ヘッドホンモニタ装置１では、測定またはシミュレートして求めた頭部伝達関数を畳み込み係数として使用する。
【００３８】
図４は、（Ａ）が伝達関数の測定例を示し、（Ｂ）が伝達関数の測定結果を使用した畳み込み演算で仮想立体音響効果を実現する手法の概念図である。頭部伝達関数を測定する際には、図４（Ａ）に示すように、ダミーヘッドまたは聴取者の左耳及び右耳にマイクを取り付けて、ダミーヘッドまたは聴取者の周囲にスピーカを設置し、このスピーカからインパルスまたはＴＳＰ信号を出力する。そして、両マイクで収音したインパルス応答に基づいて頭部伝達関数係数を設定する。図４（Ａ）には、ダミーヘッドまたは聴取者の前方にＬｃｈスピーカとＲｃｈスピーカを設置した場合を示している。
【００３９】
また、上記のようにして得られた頭部伝達関数係数を用いて、図４（Ｂ）に示すように、畳み込みフィルタにおいてＬｃｈの入力音信号とＲｃｈの入力音信号を畳み込み演算を行い、加算器２５Ｌ，２５Ｒで加算することで、ヘッドホン３を装着した聴取者Ｕには、ヘッドホンを装着しているのにもかかわらず、図４（Ａ）に示したＬｃｈスピーカ及びＲｃｈスピーカの位置に音像が定位しているように聞こえる。
【００４０】
なお、頭部伝達関数係数は、ダミーヘッド等で測定したデータで良いが、聴取者本人で測定した頭部伝達関数を使用すると、より明確な頭外定位感を実現できる。
【００４１】
操作部３３は、各入力端子から入力される音信号のうち、頭内に音像を定位させる任意の音信号を選択する操作を受け付ける。また、操作部３３は、左右上下４方向の移動スイッチまたはジョイスティック等を備えており、頭外定位させる音信号の音像の定位位置を設定する操作を受け付ける。また、各チャンネルから入力された音の音量レベルバランスを調整する操作を受け付ける。
【００４２】
表示部３５は、聴取者に伝達する事項を表示する。また、表示部３５は、操作部３３が頭外定位させる音信号の音像の定位位置を設定する操作を受け付けた際には、音像の定位位置を表示する。
【００４３】
制御部３７は、ヘッドホンモニタ装置１の各部の動作を制御する。例えば、制御部３７は、操作部３３が受け付けた操作に応じて、スイッチ１５−１〜１５−ｎを切り替えたり、畳み込みフィルタ１７−１〜１７−ｎに頭部伝達関数係数を設定したり、バランス利得制御部２３−１〜２３−ｎにおける各音信号の利得を制御したりする。
【００４４】
ヘッドホン３は、ヘッドホンモニタ装置１が出力した音信号を内蔵する２つのスピーカユニットから放音する。
【００４５】
録音再生装置５は、ヘッドホンモニタ装置１が出力した音信号を録音する。また、聴取者の操作により、録音した音信号を再生する。
【００４６】
また、入力端子１１−１Ｌ・１１−１Ｒ〜１１−ｎＬ・１１−ｎＲには、不図示の楽器７、録音再生装置８、マイク９等の外部接続機器が接続される。
【００４７】
次に、ヘッドホンモニタ装置１の動作について説明する。ヘッドホンモニタ装置１では、上記のように初期状態では、ｃｈ１のスイッチ１５−１が遅延回路１９−１側に接続され、その他のスイッチ１５−２〜１５−ｎが畳み込みフィルタ１７−２〜１７−ｎ側に接続されている。そのため、演奏者は、自分が演奏する楽器７の出力端子や、自分が歌唱時に使用するマイク９の出力端子を入力端子１１−１Ｌ・１１−１Ｒに接続すると良い。また、バック音源（バック演奏音）を再生する録音再生装置８の出力端子やその他の楽器やマイクの出力端子を入力端子１１−２Ｌ・１１−２Ｒ〜１１−ｎＬ・１１−ｎＲのいずれかに接続すると良い。これにより、ヘッドホンモニタ装置１を動作させる際に、スイッチ１５−１〜１５−ｎの設定を操作部３３により変更することなく、ｃｈ１から入力された音の音像を頭内定位させて、その他の音の音像を頭外定位させることができる。
【００４８】
また、ヘッドホンモニタ装置１では、操作部３３が操作されて任意の入力端子（チャンネル）が選択されると、その入力端子から入力された音信号が畳み込み演算されないように、スイッチの接続状態に応じてそのままにするかまたは切り替えて、Ａ／Ｄコンバータと遅延回路を接続する。また、他の入力端子から入力された音信号は畳み込み演算されるように、スイッチの状態に応じてそのままにするかまたは切り替えて、Ａ／Ｄコンバータと畳み込みフィルタを接続する。これにより、選択された入力端子から入力される音信号の音像は頭内に定位し、他の入力端子から入力された音信号の音像は頭外に定位するので、他の音信号とのバランスや遅延に気を配りながら、選択した任意の音信号を集中して聴くことができる。
【００４９】
なお、ヘッドホンモニタ装置１は、頭外に定位させる各音信号の音像が聴取者の周囲にバランスよく配置されるように、その信号数に応じて予め設定された配置で頭外に音像が定位するようにデフォルトの定位位置が設定されている。例えば、入力信号数（チャンネル数）が少なく数チャンネルの場合には、聴取者（演奏者）の前方に所定の間隔で各チャンネルの音像を定位させる。一方、入力信号数（チャンネル数）が多い場合、例えば、８チャンネルの場合には、聴取者（演奏者）の周囲に所定の間隔で各チャンネルの音像を定位させる。ヘッドホンモニタ装置１では、デフォルトの定位位置を変更可能である。
【００５０】
また、ヘッドホンモニタ装置１では、操作部３３の操作に応じて、頭外に定位させる音信号の音像を任意の位置に定位させることができる。図５は、音信号の音像を頭外定位させた場合のイメージ図である。ヘッドホンモニタ装置１では、例えば入力音信号が４つ（入力が４チャンネル）で、音像を頭内定位するように選択された音信号が１つの場合、初期設定のままだと図５（Ａ）に示すように、頭外定位する音像は聴取者（演奏者）の前方に所定の間隔で各チャンネルの音信号の音像が定位される。しかし、聴取者の設定に応じて、図５（Ｂ）に示すように、例えば聴取者（演奏者）の周囲に所定の間隔で音像を定位させることができる。聴取者は、表示部３５を確認しながら操作部３３を操作することで、各入力音を所望の位置に定位させることができる。これにより、聴取者は、例えば各楽器の音像を実際にステージで演奏する際のオーケストラやバンドの配置にすることで、自分の演奏音に集中しつつ、全体の演奏音と自分の演奏音とのバランスも、生演奏と同じ状態で確認できる。
【００５１】
また、ヘッドホンモニタ装置１では、上記のように操作部３３を操作することで、音像を頭内定位させる音信号を選択できるので、複数の演奏音、例えば２つの演奏音の音像を頭内定位させて、他の複数の演奏音の音像を頭外定位させることもできる。この場合、２つの演奏音の音像を頭内定位させることで、２つの演奏音の演奏テンポやズレ等を集中して確認することができる。また、音楽プロデューサ等がヘッドホンモニタ装置１を使用する場合には、例えば、全ての演奏音の音像を一端頭外に定位させておき、演奏中に操作部３３を操作して、ある楽器がソロパートを演奏する際に、その楽器の演奏音が入力されるチャンネルを頭内定位させるといった使い方も可能である。これにより、チェックの必要な演奏音や歌唱の音像を頭内定位させて、集中してチェックしたり、全体とのバランスを確認したりすることができる。
【００５２】
次に、本発明の実施形態に係るヘッドホンモニタ装置の動作を、フローチャートに基づいて説明する。図６は、ヘッドホンモニタ装置の動作を説明するためのフローチャートである。
【００５３】
聴取者（演奏者）は、ヘッドホンモニタ装置１の電源をオンする前に、まず、各入力端子１１−１Ｌ・１１−１Ｒ〜１１−ｎＬ・１１−ｎＲに楽器７の出力端子、録音再生装置８の出力端子、マイク９の端子等を接続しておく。また、出力端子２９Ｌ・２９Ｒにヘッドホン３を接続しておく。そして、準備が完了すると、ヘッドホンモニタ装置１の不図示の電源スイッチをオンにする。ヘッドホンモニタ装置１の制御部３７は、電源が投入されると、表示部３５に動作可能である旨を表示する。
【００５４】
演奏者は、ヘッドホンモニタ装置１の設定が初期状態のままで使用する場合には、操作部３３を操作せずにそのまま使用すれば良い。
【００５５】
一方、演奏者は、ヘッドホンモニタ装置１の設定を変更して使用する場合には、操作部３３を操作してスイッチの設定切り替えボタンを操作する。
【００５６】
制御部３７は、操作部３３がスイッチの設定切り替えボタンの操作を受け付けたことを検出すると（ｓ１）、音像を頭内定位させる音信号を入力するチャンネル番号の選択を促す内容を表示させる（ｓ２）。そして、制御部３７は、操作部からチャンネル番号が入力されるまで待機する（ｓ３：Ｎ）。
【００５７】
制御部３７は、操作部３３がチャンネル番号の入力を受け付けたことを検出すると（ｓ３：Ｙ）、選択されたチャンネル番号に対応するスイッチを遅延回路側に切り替え、選択されたチャンネル番号以外のチャンネルに対応するスイッチを畳み込みフィルタ側に切り替える（ｓ４）。例えば、２チャンネルが選択された場合には、スイッチ１５−１を畳み込みフィルタ１７−１側に切り替えてＡ／Ｄコンバータ１３−１と畳み込みフィルタ１７−１を接続し、スイッチ１５−２を遅延回路１９−２側に切り替えてＡ／Ｄコンバータ１３−２と遅延回路１９−２を接続する。
【００５８】
なお、スイッチ１５−１は、初期状態では遅延回路１９−１側が接続されており、スイッチ１５−２〜１５−ｎは、初期状態では畳み込みフィルタ１７−２〜１７−ｎ側に接続されている。
【００５９】
続いて、制御部３７は、頭外定位させる音信号の音像の定位位置がデフォルトの設定で良いか、それとも任意の位置に設定するかを確認する内容を表示部３５に表示させる（ｓ５）。
【００６０】
ここで、各入力端子１１−１Ｌ・１１−１Ｒ〜１１−ｎＬ・１１−ｎＲには、出力端子の接続検出機構（不図示）が設けられている。制御部３７は、各入力端子１１−１Ｌ・１１−１Ｒ〜１１−ｎＬ・１１−ｎＲに、楽器７、録音再生装置８、マイク９等の出力端子が接続されているか否かを検出できるので、各入力端子の接続状態に応じて、各チャンネルの畳み込みフィルタ１７−１〜１７−ｎに頭部伝達関数係数を設定する。
【００６１】
制御部３７は、操作部３３が操作されて、頭外定位させる音信号の音像の定位位置がデフォルトの設定で良い旨の入力があった場合には（ｓ６：Ｙ）、記憶部３１が記憶するデフォルトの頭部伝達関数係数を、畳み込みフィルタ１７−１を除く他の畳み込みフィルタ１７−２〜１７−ｎに設定する（ｓ７）。
【００６２】
また、制御部３７は、頭外定位させる音信号の音像を任意の位置に設定する旨の入力があった場合には（ｓ６：Ｎ）、各チャンネルの音信号の音像を定位させる位置を指定するように促す内容を表示部３５に表示させる（ｓ８）。そして、制御部３７は音像を定位させる位置を指定する入力があるまで待機する（ｓ９：Ｎ）。
【００６３】
制御部３７は、操作部３３が操作されて各チャンネルの音信号の音像定位位置が指定されると（ｓ９：Ｙ）、その指定に応じた頭部伝達関数係数を各畳み込みフィルタに設定する（ｓ１０）。
【００６４】
ヘッドホンモニタ装置１は、音像を頭内及び頭外に定位させる処理を行う（ｓ１１）。すなわち、ヘッドホンモニタ装置１は、各入力端子１１−１Ｌ・１１−１Ｒ〜１１−ｎＬ・１１−ｎＲから音信号が入力されると、Ａ／Ｄコンバータ１３−１〜１３−ｎで音信号をデジタル化して、畳み込みフィルタ１７−１〜１７−ｎで畳み込み演算を行う。また、選択されたチャンネルの音信号には遅延回路１９−１〜１９−ｎで遅延処理を行う。そして、各チャンネルの音信号の音量バランスをバランス利得制御部２３−１〜２３−ｎで調整し、各チャンネルの音を加算器２５Ｌ，２５Ｒで加算する。さらに、加算音信号をＤ／Ａコンバータ２７でアナログ音信号に変換して、出力端子２９Ｌ・２９Ｒを介してヘッドホン３に出力する。
【００６５】
ヘッドホン３を装着した演奏者には、自分が演奏する楽器の演奏音の音像が頭内定位し、その他のチャンネルの音信号の音像が頭外定位して聞こえるので、他の演奏音とのバランスやズレ等に気を配りながら、自分の演奏音を集中して聴くことができる。
【００６６】
また、聴取者は、演奏音を聴いているときに、スイッチの設定切り替えボタンやチャンネル番号の選択操作を行うことで、ヘッドホンモニタ装置１は上記のステップｓ１〜ｓ１１の処理を行うので、頭内に音像を定位させる音信号を変更することができる。
【００６７】
なお、ヘッドホンモニタ装置１の出力端子２９Ｌ・２９Ｒに、ヘッドホン３に代えて録音再生装置５を接続し、ヘッドホンモニタ装置１が出力する音信号を録音しておき、録音再生装置５にヘッドホン３を接続して録音した音信号を再生することで、ヘッドホン３を装着した聴取者は、選択したチャンネルの音の音像は頭内定位し、その他の音の音像は頭外定位しているように聞こえる音を聞くことができる。
【図面の簡単な説明】
【００６８】
【図１】（Ａ）が従来のヘッドホンモニタ装置のブロック図で、（Ｂ）が従来のヘッドホンモニタ装置に頭外定位技術を適用した場合のブロック図である。
【図２】本発明の実施形態に係るヘッドホンモニタ装置の概略構成を示すブロック図である。
【図３】畳み込みフィルタの構成を示すブロック図である。
【図４】（Ａ）が伝達関数の測定例を示し、（Ｂ）が伝達関数の測定結果を使用した畳み込み演算で仮想立体音響効果を実現する手法の概念図である。
【図５】音信号を頭外定位させた場合のイメージ図である。
【図６】ヘッドホンモニタ装置の動作を説明するためのフローチャートである。
【符号の説明】
【００６９】
１，１０１…ヘッドホンモニタ装置    ３，１０３…ヘッドホン    ５…録音再生装置    １１−１Ｌ・１１−１Ｒ〜１１−ｎＬ・１１−ｎＲ，１１１−１Ｌ・１１１−１Ｒ，１１１−２Ｌ・１１１−２Ｒ…入力端子    １３−１〜１３−ｎ，１１３−１，１１３−２…Ａ／Ｄコンバータ    １５−１〜１５−ｎ…スイッチ    １７−１〜１７−ｎ…フィルタ    １９−１〜１９−ｎ…遅延回路    ２３−１〜２３−ｎ，１２３…バランス利得制御部    ２５Ｌ，２５Ｒ，１２５−１，１２５−２…加算器    ２７，１２７…Ｄ／Ａコンバータ    ２９Ｌ・２９Ｒ，１２９Ｌ・１２９Ｒ…出力端子    ３１…記憶部    ３３…操作部    ３５…表示部    ３７…制御部    ４１ＬＬ，４１ＬＲ，４１ＲＬ，４１ＲＲ…畳み込み演算部    ４３Ｒ…右耳信号加算部    ４３Ｌ…左耳信号加算部
【図１】
2009188450.tif 000003
【図２】
2009188450.tif 000004
【図３】
2009188450.tif 000005
【図４】
2009188450.tif 000006
【図５】
2009188450.tif 000007
【図６】
2009188450.tif 000008